(57)【要約】【課題】炭酸風呂を継続的に利用するにあたって、炭酸ガス残量をチェックする煩雑な作業をすることなく、容易に炭酸ガスの交換時期を知ることができる炭酸風呂を提供する。【解決手段】炭酸ガスボンベ１５から炭酸ガス供給路１４を介して供給された炭酸ガスを湯水に溶解させた炭酸ガス溶解湯を浴槽２に供給する炭酸風呂である。炭酸ガス供給路１４に設けられる弁１６と、弁１６の開時間又は弁１６の開時間及び開度を検知する検知手段と、報知部３２を備える。検知手段による検知結果に基づいて推定される炭酸ガスボンベ１５の炭酸ガス残量が所定量以下になった際に報知部３２で報知する制御部４を備える。【選択図】図１
2011212128.tif 000002
【特許請求の範囲】
【請求項１】
炭酸ガスボンベから炭酸ガス供給路を介して供給された炭酸ガスを湯水に溶解させた炭酸ガス溶解湯を浴槽に供給する炭酸風呂であって、前記炭酸ガス供給路に設けられる弁と、該弁の開時間又は該弁の開時間及び開度を検知する検知手段と、報知部と、前記検知手段による検知結果に基づいて推定される炭酸ガスボンベの炭酸ガス残量が所定量以下になった際に前記報知部で報知する制御部と、を備えたことを特徴とする炭酸風呂。
【請求項２】
炭酸ガスボンベから供給された炭酸ガスを溶解させた湯水を浴槽に供給する炭酸風呂であって、報知部と、炭酸ガスボンベ内の炭酸ガスの重量を検知する検知手段と、検知した炭酸ガス重量が所定値以下になった際に前記報知部で報知する制御部と、を備えたことを特徴とする炭酸風呂。
【発明の詳細な説明】
【技術分野】
【０００１】
本発明は炭酸風呂に関する。
【背景技術】
【０００２】
従来から浴槽に炭酸ガスを溶解させた湯水を供給して炭酸浴を行えるようにした炭酸風呂が利用されている。この炭酸風呂を利用した炭酸浴は、湯水に溶け込んだ炭酸ガスによる末梢血管の拡張作用等で入浴者の血行が促進され、入浴者に対して保温作用があり、また、末梢循環障害の治療にもなると言われている。
【０００３】
特許文献１に開示される炭酸風呂は、浴槽内の湯水を循環流路を介して循環させる循環ポンプと、炭酸ガスボンベから前記循環流路を流れる湯水に炭酸ガスを供給するための炭酸ガス供給路と、循環流路に設けられて前記炭酸ガス供給路から供給された炭酸ガスを循環流路を流れる湯水に溶解させる炭酸ガス溶解器とを備え、炭酸ガス溶解器にて、循環流路を流れる湯水、すなわち浴槽内に供給される湯水に炭酸ガスを溶解させている。
【先行技術文献】
【特許文献】
【０００４】
【特許文献１】特開平８−２１５２７０号公報
【発明の概要】
【発明が解決しようとする課題】
【０００５】
ところで、前記炭酸浴を継続的に行うには、炭酸ガスボンベ内の炭酸ガスがなくなる前の段階で炭酸ガスボンベを交換する必要がある。ここで、炭酸ガスボンベの適切な交換時期を知るには、屋外に設置された炭酸ガスボンベのレギュレーターをチェックする等して炭酸ガス残量をこまめに確認する必要があり、手間を要する。
【０００６】
本発明は上記事情に鑑みてなされたものであり、継続的な利用にあたって、炭酸ガス残量をチェックする煩雑な作業をすることなく、容易に炭酸ガスの交換時期を知ることができる炭酸風呂を提供することを課題とする。
【課題を解決するための手段】
【０００７】
上記課題を解決するために請求項１に係る炭酸風呂は、炭酸ガスボンベから炭酸ガス供給路を介して供給された炭酸ガスを湯水に溶解させた炭酸ガス溶解湯を浴槽に供給する炭酸風呂であって、前記炭酸ガス供給路に設けられる弁と、該弁の開時間又は該弁の開時間及び開度を検知する検知手段と、報知部と、前記検知手段による検知結果に基づいて推定される炭酸ガスボンベの炭酸ガス残量が所定量以下になった際に前記報知部で報知する制御部と、を備えたことを特徴とする。
【０００８】
次に請求項２に係る炭酸風呂は、炭酸ガスボンベから供給された炭酸ガスを溶解させた湯水を浴槽に供給する炭酸風呂であって、報知部と、炭酸ガスボンベ内の炭酸ガスの重量を検知する検知手段と、検知した炭酸ガス重量が所定値以下になった際に前記報知部で報知する制御部と、を備えたことを特徴とする。
【発明の効果】
【０００９】
請求項１に係る炭酸風呂の制御部は、検知手段により炭酸ガス供給路に設けられた弁の開時間又は弁の開時間及び開度を検知し、この検知結果に基づいて推定される炭酸ガスボンベの炭酸ガス残量が所定量以下となった際に報知部により報知する。これにより、利用者等は炭酸ガスボンベの交換時期を知ることができ、煩雑な炭酸ガス残量をチェックする作業をすることなく炭酸浴を継続的に行うことができる。また、制御部は、ガス供給路に設けられた弁の開時間又は開時間及び開度を検知し、この検知結果に基づいて炭酸ガスボンベの炭酸ガス残量を推定するので、別途炭酸ガス残量を検知する手段を設ける必要がなく、コストを抑えることができる。
【００１０】
また、請求項２に係る炭酸風呂にあっては、炭酸ガス重量検知手段で検知した残量が所定量以下となった際に、報知部で報知がなされる。このため、利用者は前記報知部の報知により炭酸ガスボンベの交換時期を知ることができ、煩雑な炭酸ガス残量をチェックする作業をすることなく炭酸浴を継続的に行うことができる。
【図面の簡単な説明】
【００１１】
【図１】本発明の第一実施形態及び第二実施形態の炭酸風呂の構成図である。
【図２】同上の炭酸風呂のブロック図である。
【図３】通常風呂モードにおける自動湯張り時の湯水の流れを示す説明図である。
【図４】炭酸風呂モードにおける自動湯張り時の湯水及び炭酸ガスの流れを示す説明図である。
【図５】通常風呂モード及び炭酸風呂モードにおける追い焚き時の湯水及び炭酸ガスの流れを示す説明図である。
【図６】第三実施形態の炭酸風呂のブロック図である。
【図７】第四実施形態の炭酸風呂の構成図である。
【図８】第五実施形態の炭酸風呂の構成図である。
【発明を実施するための形態】
【００１２】
以下、本発明を添付図面に示す実施形態に基づいて説明する。
【００１３】
（第一実施形態）図１は本実施形態の炭酸風呂の構成図であり、図２はブロック図である。
【００１４】
本実施形態の炭酸風呂は湯張り機能と追い焚き機能を有するシステムであって、浴槽２と給湯器２９と炭酸ガスボンベ１５を備えている。
【００１５】
浴槽２には供給口５と吸込口６が設けられている。本実施形態では浴槽２に供給口５と吸込口６が設けられた一つのアダプタ７が取り付けられている。供給口５には供給路８の一端が接続され、吸込口６には戻し路９の一端が接続されている。供給路８の他端と戻し路９の他端が接続されて循環路１１が構成されている。供給路８と戻し路９の接続部には水源である水道から水が供給される給水路１０の下流端が接続され、給水路１０には弁１７が設けられている。
【００１６】
供給路８には給水路１０から供給される水を加熱する加熱部１が設けられている。加熱部１よりも下流側の供給路８で浴槽２に湯を供給する給湯路２８が構成されている。加熱部１は、例えば供給路８の一部と熱交換する熱交換部１ａを備え、熱交換部１ａは、バーナー等の熱源により加熱した熱媒と熱交換すること、又は熱交換部１ａをバーナーで加熱することで、供給路８を通過する水を加熱し、所望の温度の湯を生成する。
【００１７】
給湯路２８には炭酸ガスを混合溶解する炭酸ガス溶解部１３が設けられている。炭酸ガス溶解部１３には炭酸ガス供給路１４を介して炭酸ガスボンベ１５が接続されている。炭酸ガス供給路１４には、上流側から順に、レギュレーター３０と、弁１６が設けられている。レギュレーター３０は、炭酸ガス供給路１４の炭酸ガスボンベ１５から弁１６に向かって流れる炭酸ガスの流量を略一定に保つものであり、例えば炭酸ガス供給路１４を流れる炭酸ガスの流量が５Ｌ／分となるよう設定される。また、戻し路９には、上流側から順に、循環ポンプ３、サーミスタ等の湯温検知手段１９、及び弁２０が設けられている。
【００１８】
加熱部１で加熱されて浴槽２に供給される湯の温度は、湯温調整手段１８を制御することで任意の設定温度とされる。湯温調整手段１８としては、例えば熱交換部１ａで加熱された水と別途水道から供給された水との混合量を調整したり、バーナーにより与えられる熱量を調整したり、熱交換部１ａを加熱する熱媒の流量や供給間隔の調整をしたり、弁１７の開度を調整して給水路１０からの水の供給量の調整したり、循環ポンプ３により浴槽２内の湯の循環量を調整したり、熱交換部１ａを加熱する熱媒の流量を調整したりすることが挙げられ、これらのうちのいずれであってもよい。
【００１９】
給湯器２９は、給湯器本体３１と、給湯器本体３１を操作するための操作盤１２（図２参照）を備えている。操作盤１２は、屋内、詳しくは浴室やリビング等の部屋の壁等に設けられる。給湯器本体３１は、弁１６、１７、２０、循環ポンプ３、これらを制御する制御部４、加熱部１、及び炭酸ガス溶解部１３を有している。
【００２０】
図２のように操作盤１２には、電源のＯＮ／ＯＦＦを切り替える電源釦２２、運転モードを切り替えるためのモード設定釦２３、加熱部１で加熱されて生成される湯の温度を設定する湯温設定釦２１、湯張り量を設定するための湯張り量設定釦２５、湯張りの運転指令をする自動湯張り釦２４、追い焚きの運転指令をする追い焚き釦２６が設けられている。また、操作盤１２には、給湯器本体３１の電源のＯＮ／ＯＦＦ状態や、モード設定釦２３で設定された運転モード、湯温設定釦２１で設定された湯温、湯張り量設定釦２５で設定された湯張り量等を表示する表示部２７と、後述する報知部３２が設けられている。
【００２１】
本実施形態の炭酸風呂は、加熱部１で加熱された湯に炭酸ガスを混合溶解して浴槽２に供給する炭酸風呂モードと、炭酸ガスが溶解していない湯を浴槽２に供給する通常風呂モードを備えている。
【００２２】
通常風呂モードで自動湯張りを行うには例えば以下のように操作盤１２を操作する。まず、電源釦２２を操作して給湯器本体３１の電源を入れ、モード設定釦２３を操作して通常風呂モードに設定し、湯温設定釦２１を操作して浴槽２に供給される湯水の温度を設定し、湯張り量設定釦２５を操作して湯張り量を設定し、この後、自動湯張り釦２４を操作して湯張りの運転指令をする。このようにすると、制御部４は、図３のように弁１６、２０を閉じた状態で弁１７を開き、加熱部１による加熱を開始する。これにより給水路１０から供給路８に水が供給され、この水が加熱部１で加熱されて湯温調整手段１８により湯温設定釦２１で設定された温度の湯となり、この湯が供給口５を介して浴槽２内に供給される。そして、図示しない湯量測定手段により浴槽２内の湯量が湯張り量設定釦２５で設定された湯量となったことが検知されると、制御部４は弁１７を閉じ、加熱部１による加熱を停止する。これにより、浴槽２には、湯張り量設定釦２５で設定された湯張り量で所望温度の湯が張られる。
【００２３】
また、炭酸風呂モードで自動湯張りを行う場合は例えば以下のように操作盤１２を操作する。まず、電源釦２２を操作して電源を入れ、モード設定釦２３を操作して炭酸風呂モードに設定し、次に湯温設定釦２１を操作して浴槽２に供給される湯水の温度を設定し、湯張り量設定釦２５を操作して湯張り量を設定し、この後、自動湯張り釦２４を操作して湯張りの運転指令をする。すると、制御部４は、図４のように弁２０を閉じた状態で弁１７を開き、加熱部１による加熱を開始する。また、この炭酸風呂モードにおける給湯時には制御部４による制御のもと弁１６が開かれる。これにより、給水路１０から供給路８に水が供給され、この水が加熱部１で加熱されて湯温調整手段１８により湯温設定釦２１で設定された温度の湯となり、この湯に炭酸ガスボンベ１５から炭酸ガス供給路１４を介して炭酸ガス溶解部１３に供給された炭酸ガスが当該炭酸ガス溶解部１３にて混合溶解され、この炭酸ガス溶解湯が供給口５から浴槽２内に供給される。そして、前記湯量測定手段により浴槽２内の湯量が湯張り量設定釦２５で設定された湯量になったことが検知されると、制御部４は弁１６、１７を閉じると共に加熱部１による加熱を停止する。これにより、浴槽２には、炭酸ガスを含み、湯張り量設定釦２５で設定された湯張り量で所望温度の湯が張られる。
【００２４】
前記通常風呂モードにおける自動湯張りが終了した後及び炭酸風呂モードにおける自動湯張りが終了した後、制御部４は湯温検知手段１９により所定時間毎に戻し路９内の湯温を検知する。これにより湯温が湯温設定釦２１で設定された湯温よりも低い追い焚き温度に低下したことが検知されると、制御部４は、図５のように弁１７を閉じた状態で弁２０を開き、循環ポンプ３を運転すると共に加熱部１による加熱を開始する。これによって浴槽２内の湯は吸込口６から循環路１１に吸込まれて加熱部１で加熱され、湯温調整手段１８により湯温設定釦２１で設定された温度の湯となり、この後、供給口５から浴槽２に供給される。すなわち、循環路１１を介して循環される浴槽２内の湯水が加熱部１で加熱されて自動追い焚きがなされる。そして、湯温検知手段１９により検知された湯温が湯温設定釦２１で設定された温度になると、制御部４は、循環ポンプ３を停止すると共に加熱部１による加熱を停止する。
【００２５】
通常風呂モードに設定されている状態で前記自動追い焚きが行われた際には、図５のように弁１６が閉じられる。従って、浴槽２には炭酸ガスが溶解していない湯水が供給される。これに対して、炭酸風呂モードに設定されている状態で前記自動追い焚きが行われた際には、図４のように制御部４による制御のもと弁１６が開かれる。これによって炭酸風呂モードにおける自動追い焚き時には、循環路１１を流れる湯水に炭酸ガスが供給され、浴槽２に炭酸ガスを溶解させた湯水が供給される。
【００２６】
また、操作盤１２の追い焚き釦２６を操作することにより手動の追い焚きを行うこともできる。追い焚き釦２６が操作されると、制御部４は、前記湯張り終了後の自動追い焚きと同様に弁１７を閉じた状態で弁２０を開き、循環ポンプ３を運転すると共に加熱部１による加熱を開始し、湯温検知手段１９により検知された湯温が湯温設定釦２１で設定された温度になると、循環ポンプ３を停止すると共に加熱部１による加熱を停止する。なお、この手動追い焚き時においても、通常風呂モードに設定されている場合には、弁１６を閉じた状態で追い焚きが行われ、炭酸風呂モードに設定されている場合には弁１６が開かれて循環路１１を流れる湯水に炭酸ガスが溶解される。
【００２７】
制御部４は、前記炭酸風呂モードに設定されている状態では弁１６の開時間を検知し、この検知した弁１６の開時間に基づいて推定される炭酸ガスボンベ１５内の炭酸ガス残量が所定量以下となった際にこれを報知部３２で報知するよう設定されている。
【００２８】
具体的に制御部４は、常時弁１６の開閉状態を監視して弁１６の開時間を検知する。すなわち、制御部４は弁１６の開時間を検知する検知手段としての機能を果たす。そして、この検知結果に基づいて前回の炭酸ガスボンベ１５の交換時からの炭酸ガス積算消費量を推定する。
【００２９】
制御部４は、レギュレーター３０で設定された炭酸ガス供給路１４を流れる炭酸ガスの流量と弁１６の開時間を乗算することで、炭酸ガス消費量、すなわち炭酸ガスボンベ１５から炭酸ガス溶解部１３に供給される炭酸ガスの量を算出し、この算出された炭酸ガス消費量をメモリに記録された過去の炭酸ガス消費量に加算して前記炭酸ガス積算消費量を算出する。
【００３０】
また、報知部３２は、音声や警報音等の音、文字や光等の表示、又はこれらの組み合わせにより、炭酸ガスボンベ１５内の炭酸ガス残量が所定量以下になったことを報知する。
【００３１】
そして、制御部４は、前記炭酸ガス積算消費量が設定量を超えた際に前記報知部３２による報知を行うよう設定されている。前記設定量は炭酸ガスボンベ１５の満量充填時の炭酸ガス量よりもやや少ない値に設定され、これにより炭酸ガスボンベ１５内の炭酸ガスが所定量以下となった時に前記報知部３２による報知がなされるようになっている。
【００３２】
この報知部３２による報知により、炭酸ガスボンベ１５の炭酸ガス残量が少なくなったことを利用者に認識させ、炭酸ガスボンベ１５の交換を促すことができる。しかして、利用者は、ガスボンベ供給事業者に連絡等して炭酸ガスボンベ１５を新たな炭酸ガスボンベ１５と交換することにより、炭酸浴を継続的に行うことができる。なお、操作盤１２にはリセット釦３３が設けられ、利用者は炭酸ガスボンベ１５の交換時にリセット釦３３を操作することで炭酸ガス積算消費量をリセットでき、これにより交換した新たな炭酸ガスボンベ１５にあっても、前回同様に炭酸ガス残量が少なくなった時に前記報知部３２による報知がなされるようにすることができる。
【００３３】
以上説明した炭酸風呂は、炭酸ガスボンベ１５の炭酸ガス残量が所定量以下になったことが報知部３２により利用者に報知される。このため、利用者は炭酸ガスボンベ１５の交換時期を容易に知ることができ、炭酸ガス残量をチェックする煩雑な作業をすることなく、炭酸風呂を利用した炭酸浴を継続的に行うことができる。またこの場合、制御部４は、炭酸ガス供給路１４に設けられた弁１６の開時間を検知し、この検知結果に基づいて炭酸ガスボンベ１５の炭酸ガス残量を推定するため、別途炭酸ガス残量を検知する手段を設ける必要がなく、コストを抑えることができる。
【００３４】
（第二実施形態）次に上記とは異なる第二実施形態について説明する。なお以下の第二実施形態の説明では第一実施形態と同一の構成については同一の番号を付与し、重複する説明は省略する。
【００３５】
本実施形態の弁１６は開度調節可能で炭酸ガスボンベ１５から炭酸ガス溶解部１３に供給される炭酸ガスの流量を調節できるようになっており、前記炭酸風呂モードにおける自動湯張り時、自動追い焚き時、及び手動追い焚き時にあっては、弁１６が浴槽２に所定濃度の炭酸ガスを含む湯が供給されるように制御部４により開度が調整されて開かれるようになっている。
【００３６】
そして、制御部４は、前記炭酸風呂モードに設定されている状態で、弁１６の開時間及び開度を検知し、この検知した弁１６の開時間及び開度に基づいて推定される炭酸ガスボンベ１５内の炭酸ガス残量が所定量以下となった際にこれを報知部３２で報知するよう設定されている。
【００３７】
具体的に制御部４は常時弁１６の開閉状態及び開時間を監視して弁１６の開度及び開時間を検知する。すなわち、制御部４は弁１６の開時間を検知する検知手段としての機能を果たす。そして、制御部４は、検知した弁１６の開度及び開時間に基づいて前回の炭酸ガスボンベ１５の交換時からの炭酸ガス積算消費量を推定する。
【００３８】
制御部４は、レギュレーター３０で設定された炭酸ガス供給路１４を流れる炭酸ガスの流量に、弁１６の開度に応じて変化する係数と、弁１６の開時間を掛けることで炭酸ガス消費量を算出し、この算出された炭酸ガス消費量をメモリに記録された過去の炭酸ガス消費量に加算して前記炭酸ガス積算消費量を算出する。
【００３９】
このように弁１６の開時間及び開度を検知し、この検知結果に基づいて炭酸ガス積算消費量を算出することで、本実施形態のように炭酸ガスモードにおいて弁１６の開度を調節する炭酸風呂においても、炭酸ガスボンベ１５の炭酸ガス残量が所定量以下となったことを報知部３２で報知することができる。
【００４０】
なお、第一実施形態及び第二実施形態では給水路１０、戻し路９にそれぞれ弁１７、２０を設けた例を示しているが、これらの弁１７、２０に代えて給水路１０と戻し路９と供給路８を三方切替弁を介して接続してもよいものとする。また、炭酸風呂モードにおいて行われる自動追い焚きの際には、弁１６を閉じて循環路１１を流れる湯水に炭酸ガスが供給されないようにしてもよい。
【００４１】
（第三実施形態）次に上記とは異なる第三実施形態について説明する。なお以下の第三実施形態の説明では、第一実施形態と同一の構成については同一の番号を付与し、重複する説明は省略する。
【００４２】
本実施形態では、炭酸ガス重量検知手段により炭酸ガスボンベ１５内の炭酸ガスの重量を検知し、制御部４により炭酸ガス重量が所定量以下となった際に報知部３２で報知するように設定してある。
【００４３】
図６のように本実施形態の炭酸ガス重量検知手段は炭酸ガスボンベ１５の重量を検出する重量センサ３４で構成され、制御部４は炭酸ガスボンベ１５が設置された重量センサ３４の検出結果を常時監視し、この検出結果に基づいて炭酸ガスボンベ１５内の炭酸ガス重量を算出する。この炭酸ガスボンベ１５内の炭酸ガスの重量は、炭酸ガスを満量充填した炭酸ガスボンベ１５の重量から、重量センサ３４で検出した炭酸ガスボンベ１５の重量を減算することで算出される。そして、このように算出された炭酸ガスボンベ１５内の炭酸ガスの重量が所定値以下になった際に、制御部４は報知部３２による報知を行う。
【００４４】
このように炭酸ガスボンベ１５内の炭酸ガスの重量を検知し、検知した炭酸ガス重量が所定値以下になった際に報知部３２で報知することによって、利用者に炭酸ガスボンベ１５の交換時期を知らせることができる。
【００４５】
（第四実施形態）次に上記とは異なる第四実施形態を図７に示す。なお以下の第四実施形態の説明では第一実施形態と同一の構成については同一の番号を付与し、重複する説明は省略する。
【００４６】
第一実施形態では同一の加熱部１で湯張りの際の加熱と追い焚きの際の加熱を行うようにしたが、本実施形態では加熱部１を追い焚きの際の加熱のみに用い、該追い焚き用の加熱部１とは別に湯張り用の加熱部３５を備えている。
【００４７】
加熱部３５は給湯器本体３１に設けられている。なお、図７では、作図上、加熱部１、弁１６、２０、湯温検知手段１９、循環ポンプ３、及び炭酸ガス溶解部１３が給湯器本体３１と別位置に図示されているが、これらは全て第一実施形態と同様に給湯器本体３１に設けられている。
【００４８】
加熱部３５は湯供給路３６を介して供給路８と戻し路９の接続部に接続され、湯供給路３６と供給路８で給湯路２８が構成されている。なお、本実施形態では給水路１０は設けられていない。
【００４９】
湯供給路３６は途中で加熱部３５から供給された湯のみを通過させる第一湯供給路３７と炭酸ガス溶解部１３が設けられた第二湯供給路３８とに分岐し、下流側で再び一つの湯供給路３６として合流している。
【００５０】
第一湯供給路３７と、第二湯供給路３８の炭酸ガス溶解部１３の上流側の夫々には弁３９、４０が設けられている。弁３９、４０はいずれも給湯器本体３１に配設されている。
【００５１】
通常風呂モードで自動湯張り釦２４が操作されて湯張りの運転指令がなされると、制御部４は、弁１６、２０、４０を閉じた状態で弁３９を開き、加熱部３５による加熱を開始する。
【００５２】
これにより加熱部３５で湯温設定釦２１で設定された温度に加熱された湯が湯供給路３６に供給され、この後、第一湯供給路３７及び供給路８を経て供給口５から浴槽２内に供給される。そして、湯量測定手段により浴槽２内の湯量が湯張り量設定釦２５で設定された湯量となったことが検知されると、制御部４は弁３９を閉じ、加熱部３５による加熱を停止する。これにより、浴槽２には、湯張り量設定釦２５で設定された湯張り量で所望温度の湯が張られる。なお、この自動湯張り時には加熱部１による加熱は行われない。
【００５３】
また、炭酸風呂モードで自動湯張り釦２４が操作されて湯張りの運転指令がなされると、制御部４は、弁２０、３９を閉じた状態で弁４０を開き、加熱部３５による加熱を開始する。また、この炭酸風呂モードにおける給湯時には制御部４による制御のもと弁１６が開かれる。
【００５４】
これにより、加熱部３５で湯温設定釦２１で設定された温度に加熱された湯が湯供給路３６に供給され、第二湯供給路３８に供給される。この湯には炭酸ガスボンベ１５から炭酸ガス供給路１４を介して炭酸ガス溶解部１３に供給された炭酸ガスが当該炭酸ガス溶解部１３にて混合溶解され、この炭酸ガス溶解湯が供給路８を経て供給口５から浴槽２内に供給される。そして、湯量測定手段により浴槽２内の湯量が湯張り量設定釦２５で設定された湯量になったことが検知されると、制御部４は弁１６、４０を閉じると共に加熱部３５による加熱を停止する。これにより、浴槽２には、炭酸ガスを含み、湯張り量設定釦２５で設定された湯張り量で所望温度の湯が張られる。
【００５５】
また、通常風呂モードにおける自動湯張りが終了した後及び炭酸風呂モードにおける自動湯張りが終了した後に行われる自動追い焚き、並びに手動追い焚きにあっては、弁１６、３９、４０が閉じられた状態で行なわれる。
【００５６】
本実施形態においても、第一実施形態と同様に、弁１６の開度を監視して炭酸ガスボンベ１５の炭酸ガス残量を推定し、炭酸ガスボンベ１５の炭酸ガス残量が所定量以下になったことを報知部３２により報知することができる。なお、本実施形態でも第二実施形態や第三実施形態と同様に炭酸ガスボンベ１５内の炭酸ガス残量を検知し、この検知結果に基づいて報知部３２による報知を行ってもよいものとする。
【００５７】
（第五実施形態）次に上記とは異なる第五実施形態を図８に示す。なお以下の第五実施形態の説明では第一実施形態と同一の構成については同一の番号を付与し、重複する説明は省略する。
【００５８】
第一実施形態では同一の加熱部１で湯張りの際の加熱と追い焚きの際の加熱を行うようにしたが、本実施形態では加熱部１を追い焚きの際の加熱のみに用い、該追い焚き用の加熱部１とは別に湯張り用の加熱部３５を備えている。
【００５９】
加熱部３５は給湯器本体３１に設けられている。なお、図８では、作図上、加熱部１、弁１６、１７、２０、湯温検知手段１９、循環ポンプ３、及び炭酸ガス溶解部１３が給湯器本体３１と別位置に図示されているが、これらは全て第一実施形態と同様に給湯器本体３１に設けられている。
【００６０】
加熱部３５は給水路１０の弁１７よりも下流側に湯供給路４２を介して接続され、湯供給路４２、供給路８、及び両者８、４２を接続する給水路１０で給湯路２８が構成されている。湯供給路４２には弁４１が設けられ、弁４１も給湯器本体３１に配設されている。
【００６１】
炭酸ガス溶解部１３は給水路１０の弁１７よりも下流側に設けられている。給水路１０の炭酸ガス溶解部１３よりも下流側には湯水混合部４３が設けられ、湯供給路４２の下流端は湯水混合部４３に接続されている。
【００６２】
通常風呂モードで自動湯張り釦２４が操作されて湯張りの運転指令がなされると、制御部４は、弁１６、２０を閉じた状態で弁１７、４１を開き、加熱部３５による加熱を開始する。
【００６３】
これにより加熱部３５で加熱された湯が湯供給路４２を介して湯水混合部４３に供給され、該湯水混合部４３において給水路１０から供給された低温の水と混合割合を調整して混合され、これによって湯温設定釦２１で設定された温度の湯が供給路８に供給され、該供給路８を経て供給口５から浴槽２内に供給される。
【００６４】
そして、湯量測定手段により浴槽２内の湯量が湯張り量設定釦２５で設定された湯量となったことが検知されると、制御部４は弁１７、４１を閉じ、加熱部３５による加熱を停止する。これにより、浴槽２には、湯張り量設定釦２５で設定された湯張り量で所望温度の湯が張られる。なお、この自動湯張り時には加熱部１による加熱は行われない。
【００６５】
また、炭酸風呂モードで自動湯張り釦２４が操作されて湯張りの運転指令がなされると、制御部４は、弁２０を閉じた状態で弁１７、４１を開き、加熱部３５による加熱を開始する。また、この炭酸風呂モードにおける給湯時には制御部４による制御のもと弁１６が開かれる。
【００６６】
これにより、加熱部３５で加熱された湯が湯供給路４２を介して湯水混合部４３に供給される。また、炭酸ガスボンベ１５から炭酸ガス供給路１４を介して炭酸ガス溶解部１３に供給された炭酸ガスが当該炭酸ガス溶解部１３にて給水路１０を流れる低温の水に混合溶解される。そして、湯水混合部４３において、前記湯供給路４２から供給された湯と、給水路１０から供給され、炭酸ガスを溶解させた低温の水とが混合割合を調整して混合され、これによって湯温設定釦２１で設定された温度の炭酸ガスを溶解させた湯が供給路８に供給され、該供給路８を経て供給口５から浴槽２内に供給される。そして、湯量測定手段により浴槽２内の湯量が湯張り量設定釦２５で設定された湯量になったことが検知されると、制御部４は弁１６、１７、４１を閉じると共に加熱部３５による加熱を停止する。これにより、浴槽２には、炭酸ガスを含み、湯張り量設定釦２５で設定された湯張り量で所望温度の湯が張られる。
【００６７】
また、通常風呂モードにおける自動湯張りが終了した後及び炭酸風呂モードにおける自動湯張りが終了した後に行われる自動追い焚き、並びに手動追い焚きにあっては、弁１６、１７、４１が閉じられた状態で行なわれる。
【００６８】
本実施形態においても、第一実施形態と同様に、弁１６の開度を監視して炭酸ガスボンベ１５の炭酸ガス残量を推定し、炭酸ガスボンベ１５の炭酸ガス残量が所定量以下になったことを報知部３２により報知することができる。なお、本実施形態でも第二実施形態や第三実施形態と同様に炭酸ガスボンベ１５内の炭酸ガス残量を検知し、この検知結果に基づいて報知部３２による報知を行ってもよい。
【００６９】
また、前記各実施形態では報知部３２を給湯器２９の操作盤１２に設けたが、これに限定されるものではなく、炭酸風呂の利用者が報知部３２による報知を容易に知ることができる箇所であれば、いずれの箇所に設置されてもよい。また、報知の対象は炭酸風呂の利用者以外であってもよい。例えば制御部４とガスボンベ供給事業者との間で通信する設備が整っている場合には、検知した炭酸ガス残量又は重量が所定値以下となった場合にガスボンベ供給事業者に設置した報知部で報知することが考えられる。この場合は、報知を受けたガスボンベ供給事業者は炭酸ガスボンベ１５を交換するサービスを行うことができる。
【符号の説明】
【００７０】
２  浴槽
４  制御部
１３  炭酸ガス溶解部
１４  炭酸ガス供給路
１５  炭酸ガスボンベ
１６  弁
２８  給湯路
３２  報知部
【図１】
2011212128.tif 000003
【図２】
2011212128.tif 000004
【図３】
2011212128.tif 000005
【図４】
2011212128.tif 000006
【図５】
2011212128.tif 000007
【図６】
2011212128.tif 000008
【図７】
2011212128.tif 000009
【図８】
2011212128.tif 000010